(57)【特許請求の範囲】
【請求項１】
棒状の保持部と、
前記保持部の先端に固定された３個の、弾性を有するリング状の線材よりなるボール把持部と、を備え、
前記ボール把持部を構成する前記３個のリング状の線材のそれぞれは、
前記保持部の先端の方向から見たときに略正三角形の各辺を形成するように配置されており、
前記保持部の側方から見たときの該保持部の長手方向に直交する方向の一方の端部が、該一方の側で隣り合う他の１つの前記線材が形成するリングの内側に入り込み、
他方の端部においては、前記線材が形成するリングの内部に、該他方の側で隣り合う他の１つの前記線材の端部が入り込むように、配置されている
ことを特徴とするボール拾上げ具。
【請求項２】
請求項１に記載のボール拾上げ具において、
前記保持部は管状であり、その管状の部分の内部には、ボール放出機構を備えており、
前記ボール放出機構は、
前記保持部の先端部から末端部にわたって前記管状の部分の内部を該保持部の長手方向に移動自在に配置された芯材と、該芯材の末端部に当接するように該保持部の末端部に設けられた芯材押し込み部と、を有し、
前記芯材は、前記芯材押し込み部により押し込まれることで前記ボール把持部の側に移動して、拾い上げたボールを前記保持部から放出するように構成されている
ことを特徴とするボール拾上げ具。
【請求項３】
請求項２に記載のボール拾上げ具において、
前記ボール放出機構の先端部は、それぞれが弓なりに湾曲した、線状又は板状の複数の弾性部材よりなり、
前記複数の弾性部材は、一方の端部が前記芯材に固定されており、他方の端部が前記保持部の先端の方向から見たときに中心から放射状に外側に向けて広がるよう配置されている
ことを特徴とするボール拾上げ具。
【請求項４】
請求項２又は３に記載のボール拾上げ具において、
前記保持部の先端の方向から見たときに前記ボール把持部を構成する前記３個のリング状の線材が形成する略正三角形の中心から各辺までの距離は、把持対象のボールの半径より短く、
前記ボール放出機構の先端部は、前記ボールが把持された際に、該ボールに当接する位置に配置されている
ことを特徴とするボール拾上げ具。
【請求項５】
請求項１〜４の何れかに記載のボール拾上げ具において、
前記リング状の線材が形成するリングの径の長さが第１の長さである第１の前記ボール把持部と、
前記リング状の線材が形成するリングの径の長さが第２の長さである第２の前記ボール把持部と、を備えており、
前記ボール把持部は前記保持部に着脱自在に固定されている
ことを特徴とするボール拾上げ具。
【発明の詳細な説明】
【技術分野】
【０００１】
本発明はゴルフボールなどを拾上げることができるボール拾上げ具に関する。
【背景技術】
【０００２】
ゴルフ等の競技中において、ホールインの際やリプレースの際はカップや地面からボールを拾上げるために腰を曲げて屈みこむ必要がある。
【０００３】
この屈みこむ動作は腰に大きな負担がかかるため、プレーヤーの負担を軽減するために今日まで様々な形状のボール拾上げ具が提案されてきた。
【０００４】
特許文献１には、ゴルフボールを挟持可能な、弾性部材を環状に成形し、対向配置したボール把持部を備えたゴルフボール拾上げ具が提案されている。
【０００５】
特許文献２には、少なくとも３つの弾性変形可能な長尺部材を湾曲させたボール把持部を備えたゴルフボール拾得具が提案されている。  
【先行技術文献】
【特許文献】
【０００６】
【特許文献１】実用新案登録第3110281号
【特許文献２】実用新案登録第3175271号
【発明の概要】
【発明が解決しようとする課題】
【０００７】
しかしながら、特許文献１に記載のボール拾上げ具の形状では、対向配置した一対のリングで２方向からボールを押さえるため、ボール把持部を押し付ける方向によっては、リングの無い方向にボールが転がってしまい、ボールをうまく回収できない場合がある。
【０００８】
また、特許文献２に記載のボール拾上げ具は３つの弾性変形可能な長尺部材により構成されたボール把持部を持ち、三方向からボールを挟み込むが、繰り返し使用するとボールを把持する部分が外側に広がるように変形してしまい、ボールを確実に把持できなくなるという課題がある。
【０００９】
本発明は、上記の課題に鑑み、繰り返し使用しても変形せず、ボールを確実に把持可能なボール拾上げ具を提案する。
【課題を解決するための手段】
【００１０】
上記の課題を解決するために、本発明のボール拾上げ具は、
棒状の保持部と、
前記保持部の先端に固定された３個の、弾性を有するリング状の線材よりなるボール把持部と、を備え、
前記ボール把持部を構成する前記３個のリング状の線材のそれぞれは、
前記保持部の先端の方向から見たときに略正三角形の各辺を形成するように配置されており、
前記保持部の側方から見たときの該保持部の長手方向に直交する方向の一方の端部が、該一方の側で隣り合う他の１つの前記線材が形成するリングの内側に入り込み、
他方の端部においては、前記線材が形成するリングの内部に、該他方の側で隣り合う他の１つの前記線材の端部が入り込むように、配置されている
ことを特徴とする。
【００１１】
このような構成とすることにより、前記３個のリング状の線材それぞれが、一方の端部においては隣のリングを外側から押さえるとともに、他方の端部においては隣のリングにより外側から押さえられているので、前記ボール把持部が拾い上げ対象のボールに押し付けられたときに、前記リングがボールに押しのけられて外側に広がりすぎることを効果的に抑制することができる。これにより本発明によれば、繰り返し利用しても、ボールを確実に拾上げることができる。
【００１２】
また、本発明のボール拾上げ具は、
前記保持部は管状であり、その管状の部分の内部には、ボール放出機構を備えており、
前記ボール放出機構は、
前記保持部の先端部から末端部にわたって前記管状の部分の内部を該保持部の長手方向に移動自在に配置された芯材と、該芯材の末端部に当接するように該保持部の末端部に設けられた芯材押し込み部と、を有し、
前記芯材は、前記芯材押し込み部により押し込まれることで前記ボール把持部の側に移動して、拾い上げたボールを前記保持部から放出するように構成されている
ことが好ましい。
【００１３】
このような構成とすることにより、ボールを確実に拾上げることができるとともに、腰を深く曲げることなく、拾上げたボールを押し出す際、ボールを地面に再度セットするなどの操作を行うことができる。
【００１４】
ここで、本発明のボール拾上げ具は、
前記ボール放出機構の先端部は、それぞれが弓なりに湾曲した、線状又は板状の複数の弾性部材よりなり、
前記複数の弾性部材は、一方の端部が前記芯材に固定されており、他方の端部が前記保持部の先端の方向から見たときに中心から放射状に外側に向けて広がるよう配置されている
ことが好ましい。
【００１５】
このような構成とすることで、拾上げたボールを放出する際に、前記ボール放出機構の先端部の弾性部材の弾性によりボールを優しく押し出すことができるので、ボールを放出する際に、勢いよく飛び出してしまうことが抑制できる。
【００１６】
さらに、本発明のボール拾上げ具は、
前記保持部の先端の方向から見たときに前記ボール把持部を構成する前記３個のリング状の線材が形成する略正三角形の中心から各辺までの距離は、把持対象のボールの半径より短く、
前記ボール放出機構の先端部は、前記ボールが把持された際に、該ボールに当接する位置に配置されていることがより好ましい。
【００１７】
このような構成とすることにより、ボール把持部を構成するリング状の部材からボールが抜け出ることを防止して、ボールを確実に把持し続けることができる。
【００１８】
また、本発明のボール拾上げ具は、
前記リング状の線材が形成するリングの径の長さが第１の長さである第１の前記ボール把持部と、
前記リング状の線材が形成するリングの径の長さが第１の長さと異なる第２の長さである第２の前記ボール把持部と、を備えており、
前記ボール把持部は前記保持部に着脱自在に固定されていることが更に好ましい。
【００１９】
このような構成とすることにより、ボール把持部を付け替えて、例えばゴルフボールのみならず、パークゴルフ等の直径の違うボールを使用する競技のボール拾上げ具としても使用することができる。
【図面の簡単な説明】
【００２０】
【図１】ボール拾上げ具の説明図（正面図）である。
【図２】ボール把持部を先端から見た説明図（左側面図）である。
【図３】ボール把持部の説明図（正面図）である。
【図４】ボール放出機構の説明図である。
【図５】保持部１０の断面図である。
【図６】放出機構先端部の斜視図である。
【発明を実施するための形態】
【００２１】
以下、各図面を参照して、本発明に係るボール拾上げ具の一実施形態について説明するが、本発明の範囲はこれらの実施例に限定されるものではない。
【実施例】
【００２２】
図１はボール拾上げ具の説明図（正面図）である。図１に示すように、ボール拾上げ具は棒状の保持部１０とボール把持部３０、持ち手５０からなる。
【００２３】
保持部１０は管状であり、その管状の部分の内部には、ボール放出機構を備えている。ボール把持部３０は、保持部の先端に固定された３個の弾性を有するリング状の線材よりなる。
【００２４】
持ち手５０は保持部１０の末端に設けられた鍔１１とボール放出機構の芯材押し込み部７１により構成されており、ボール拾上げ具を使用する際に手で握る部分となる。
【００２５】
図２はボール把持部３０を先端から見た説明図（左側面図）である。図３はボール把持部３０の正面図である。図２、図３に示すようにボール把持部３０は弾性を有する線材からなるリング３１ａ、３１ｂ、３１ｃを有し、リング３１ａ、リング３１ｂ、リング３１ｃが保持部１０の先端の方向から見たときに略正三角形の各辺を形成するように配置されており、リング３１ａの保持部１０の長手方向に直交する方向の一方の端部Ｅ１ａが、隣り合うリング３１ｂの内側に入り込み、他方の端部Ｅ２ａにおいては、リング３１ａの内部に、他方の側で隣り合うリング３１ｃの端部Ｅ１ｃが入り込むように配置されている。
【００２６】
同様に、リング３１ｂの保持部１０の長手方向に直交する方向の一方の端部Ｅ１ｂが、隣り合うリング３１ｃの内側に入り込み、他方の端部Ｅ２ｂにおいては、リング３１ｂの内部に、他方の側で隣り合うリング３１ａの端部Ｅ１ａが入り込むように配置されている。
【００２７】
同様に、リング３１ｃの保持部１０の長手方向に直交する方向の一方の端部Ｅ１ｃが、隣り合うリング３１ａの内側に入り込み、他方の端部Ｅ２ｃにおいては、リング３１ｃの内部に、他方の側で隣り合うリング３１ｂの端部Ｅ１ｂが入り込むように配置されている。
【００２８】
リング３１（３１ａ、３１ｂ、３１ｃ）がこのように配置されることで、リングそれぞれが、一方の端部においては隣のリングを外側から押さえるとともに、他方の端部においては隣のリングにより外側から押さえられることになるので、ボール把持部３０が拾い上げ対象のボールに押し付けられたときに、リング３１（３１ａ、３１ｂ、３１ｃ）がボールに押しのけられて外側に広がりすぎることを効果的に抑制することができる。
【００２９】
また、保持部１０の先端の方向から見たときにボール把持部３０を構成するリング３１（３１ａ、３１ｂ、３１ｃ）が形成する略正三角形の中心から各辺までの距離（すなわち例えば、当該略正三角形に内接する円の半径）は、把持対象のボールの半径より短く、図３に示すとおり、放出機構先端部９０は、ボールが把持された際に、ボールに当接する位置に配置されていることがより好ましい。
【００３０】
このような形状にすることでボール把持部３０からボールが抜け出ることを防止して、ボールを確実に把持し続けることができる。
【００３１】
また、ボール把持部３０は保持部１０に着脱自在に固定されていることが更に好ましい。リング３１の径の長さが第１の長さである第１のボール把持部と、リング３１の径の長さが第１の長さと異なる第２の長さである第２のボール把持部と、を備えることで、ボール把持部３０を付け替えて、例えばゴルフボールのみならず、パークゴルフ等の直径の違うボールを使用する競技のボール拾上げ具としても使用することができる。
【００３２】
図４はボール放出機構を保持部から取り外した状態のボール放出機構の説明図である。図５は保持部１０の断面図である。図５に示すように保持部１０の内部は管状である。そして、図４に示すようにボール放出機構は、保持部１０の先端部から末端部にわたって管状の部分の内部を保持部１０の長手方向に移動自在に配置される芯材７０と、芯材７０の末端部に設けられ、ばね７３とばね保持部７５を備えた芯材押し込み部７１と、芯材７０の先端部に設けられた放出機構先端部９０と、を有する。
【００３３】
ばね７３は、ばね保持部７５により固定されており、ボール放出機構によりボールを押し出す動作に伴って押し縮められる。そして、ばね７３の復元力により、ボールを押し出すためにボール拾上げ具の先端側に移動した後の芯材７０を、真直ぐ元の位置へ戻すことができる。
【００３４】
このようなボール放出機構が存在することで、拾上げたボールを押し出す際、ボールを地面に再度セットするなどの操作を行うことができる。
【００３５】
図６は放出機構先端部９０の斜視図である。図６に示すように放出機構先端部９０には、例えばそれぞれが弓なりに湾曲した線状の複数の弾性部材９１の一方の端部が束ねられるようにして固定されており、他方の端部が保持部１０の先端の方向（図中の左側）から見たときに中心から放射状に外側に向けて広がるよう配置されている。
【００３６】
このような形状にすることで拾上げたボールを放出する際に、放出機構先端部９０に固定された弾性部材９１の弾性によりボールを優しく押し出すことができるので、ボールを放出する際に、勢いよく飛び出してしまうことが抑制できる。
【００３７】
＜ボール拾上げ具の使用方法＞
本発明のボール拾上げ具の使用方法は以下のとおりである。すなわち持ち手５０を手で握り、ボール把持部３０の先端側からボール把持部３０をボールに押し当てると、ボールが通り抜けられる大きさとなるまでリング３１が形成する略正三角形部分が外側にやや押し広げられてボールが通り抜ける。その後、リング３１が形成する略正三角形部分が元の大きさに戻ることで、ボール把持部３０内にボールが把持される。
【００３８】
そして、把持されたボールを放出するときは、芯材押し込み部７１を保持部の鍔１１の方向に近づけることで、ボール把持部３０内のボールは、押し出される方向に移動し、それに伴ってリング３１が形成する略正三角形部分が、ボールが通り抜けられる大きさとなるまで外側にやや押し広げられてボールが通り抜けることにより、ボール把持部３０内からボールが放出される。
【００３９】
＜その他の実施形態＞
以上、本発明の実施形態の一例について説明したが、これに限定されず、種々の変更が可能である。
【００４０】
すなわち例えば放出機構先端部９０は弾性部材９１の端部が保持部１０の先端の方向から見たときに中心から放射状に外側に広がるよう配置されていなくても良く、ボールに一点が当接する形状、例えば板状であっても良い。また、ボール放出機構は、ボールを押し出す機構に限定されず、ボール放出機構の操作に応じてリング３１が、ボールが通り抜けられる大きさまで開いてボールを放出する機構でもよい。
【符号の説明】
【００４１】
１０  保持部
１１  鍔
３０  ボール把持部
３１  リング
５０  持ち手
７０  芯材
７１  芯材押し込み部
７３  ばね
７５  ばね保持部
９０  放出機構先端部
９１  弾性部材
【要約】
【課題】繰り返し使用しても変形せず、ボールを確実に把持可能なボール拾上げ具を提案する。
【解決手段】棒状の保持部と、前記保持部の先端に固定された３個の、弾性を有するリング状の線材よりなるボール把持部と、を備え、前記ボール把持部を構成する前記３個のリング状の線材のそれぞれは、前記保持部の先端の方向から見たときに略正三角形の各辺を形成するように配置されており、前記保持部の側方から見たときの該保持部の長手方向に直交する方向の一方の端部が、該一方の側で隣り合う他の１つの前記線材が形成するリングの内側に入り込み、他方の端部においては、前記線材が形成するリングの内部に、該他方の側で隣り合う他の１つの前記線材の端部が入り込むように、配置されている
ボール拾上げ具。
【選択図】図１【図１】
0006977197.tif 000002
【図２】
0006977197.tif 000003
【図３】
0006977197.tif 000004
【図４】
0006977197.tif 000005
【図５】
0006977197.tif 000006
【図６】
0006977197.tif 000007